(57)【特許請求の範囲】
【請求項１】
導電材からなる第１クリップ部材と絶縁材からなる第２クリップ部材を揺動支軸により揺動自在に配設し、前記揺動支軸の一方側で前記第１クリップ部材と第２クリップ部材の間に弾性体を縮設して、前記弾性体の弾力により前記第１クリップ部材と第２クリップ部材の前記揺動支軸の他方側が閉じるように弾性付勢し、前記第１クリップ部材の前記他方側で前記第２クリップ部材側の面に被検査側の細線同軸コネクタが嵌合挿入されて位置決めされるガイド溝を設け、前記第２クリップ部材の前記第１クリップ部材と反対側の面に測定器に電気的接続させるための回路基板を配設し、前記第２クリップ部材の前記他方側にプローブをその一端が前記細線同軸コネクタの端子に臨んで当接し得るとともに他端が前記回路基板の回路パターンに当接するように配設し、前記第２クリップ部材の前記他方側にスプリングコネクタをその一端が前記第１クリップ部材に臨んで当接し得るとともに他端が前記回路基板のグランドパターンに当接するように配設して構成したことを特徴とする中継コネクタ。
【請求項２】
第１クリップ部材と絶縁材からなる第２クリップ部材を揺動支軸により揺動自在に配設し、前記揺動支軸の一方側で前記第１クリップ部材と第２クリップ部材の間に弾性体を縮設して、前記弾性体の弾力により前記第１クリップ部材と第２クリップ部材の前記揺動支軸の他方側が閉じるように弾性付勢し、前記第１クリップ部材の前記他方側で前記第２クリップ部材側の面に被検査側の水平嵌合タイプの細線同軸コネクタが嵌合挿入されて位置決めされるガイド溝を設け、前記第２クリップ部材の前記第１クリップ部材と反対側の面に測定器に電気的接続させるための回路基板を配設し、前記第２クリップ部材の前記他方側にプローブをその一端が前記細線同軸コネクタの端子に臨んで当接し得るとともに他端が前記回路基板の回路パターンに当接するように配設し、前記第２クリップ部材の前記他方側に前記細線同軸コネクタの表面側のグランド電極に臨んで当接し得るように導電金属部材を配設し、前記導電金属部材と前記回路基板のグランドパターンの間に導電性のスプリングを縮設して配設して構成したことを特徴とする中継コネクタ。
【請求項３】
第１クリップ部材と絶縁材からなる第２クリップ部材を揺動支軸により揺動自在に配設し、前記揺動支軸の一方側で前記第１クリップ部材と第２クリップ部材の間に弾性体を縮設して、前記弾性体の弾力により前記第１クリップ部材と第２クリップ部材の前記揺動支軸の他方側が閉じるように弾性付勢し、前記第１クリップ部材の前記他方側で前記第２クリップ部材側の面に被検査側の水平嵌合タイプの細線同軸コネクタが嵌合挿入されて位置決めされるガイド溝を設け、前記第２クリップ部材の前記第１クリップ部材と反対側の面に測定器に電気的接続させるための回路基板を配設し、前記第２クリップ部材の前記他方側にプローブをその一端が前記細線同軸コネクタの端子に臨んで当接し得るとともに他端が前記回路基板の回路パターンに当接するように配設し、前記第２クリップ部材の前記他方側にスプリングコネクタをその一端が前記細線同軸コネクタの表面側のグランド電極に臨んで当接し得るとともに他端が前記回路基板のグランドパターンに当接するように配設して構成したことを特徴とする中継コネクタ。
【請求項４】
第１クリップ部材と絶縁材からなる第２クリップ部材を揺動支軸により揺動自在に配設し、前記揺動支軸の一方側で前記第１クリップ部材と第２クリップ部材の間に弾性体を縮設して、前記弾性体の弾力により前記第１クリップ部材と第２クリップ部材の前記揺動支軸の他方側が閉じるように弾性付勢し、前記第１クリップ部材の前記他方側で前記第２クリップ部材側の面に被検査側の水平嵌合タイプの細線同軸コネクタが嵌合挿入されて位置決めされるガイド溝を設け、前記第２クリップ部材の前記第１クリップ部材と反対側の面に測定器に電気的接続させるための回路基板を配設し、前記第２クリップ部材の前記他方側にプローブをその一端が前記細線同軸コネクタの端子に臨んで当接し得るとともに他端が前記回路基板の回路パターンに当接するように配設し、前記第２クリップ部材の前記他方側に前記細線同軸コネクタの表面側のグランド電極に臨んで当接し得るように導電金属部材を配設し、前記導電金属部材と前記回路基板のグランドパターンの間にスプリングコネクタを縮設して配設して構成したことを特徴とする中継コネクタ。
【請求項５】
請求項２または４記載の中継コネクタにおいて、前記第２クリップ部材の前記他方側に前記細線同軸コネクタの表面側のグランド電極に臨むように配設する前記導電金属部材を、前記第２クリップ部材に対して相対的に前記第１クリップ部材の方向に移動自在でしかも前記第２クリップ部材の前記第１クリップ部材側の面から前記第１クリップ部材側に少し突出した状態で抜け出ないように構成したことを特徴とする中継コネクタ。
【請求項６】
第１クリップ部材と絶縁材からなる第２クリップ部材を揺動支軸により揺動自在に配設し、前記揺動支軸の一方側で前記第１クリップ部材と第２クリップ部材の間に弾性体を縮設して、前記弾性体の弾力により前記第１クリップ部材と第２クリップ部材の前記揺動支軸の他方側が閉じるように弾性付勢し、前記第１クリップ部材の前記他方側で前記第２クリップ部材側の面に被検査側の細線同軸コネクタが嵌合挿入されて位置決めされるガイド溝を設け、前記第２クリップ部材の前記第１クリップ部材と反対側の面に測定器に電気的接続させるための回路基板を配設し、前記第２クリップ部材の前記他方側にプローブをその一端が前記細線同軸コネクタの端子に臨んで当接し得るとともに他端が前記回路基板の回路パターンに当接するように配設し、前記第１クリップ部材の前記ガイド溝に前記細線同軸コネクタの裏面側のグランド電極に臨むように導電金属部材を配設し、前記第２クリップ部材の前記他方側にスプリングコネクタをその一端が前記第１クリップ部材に配設した前記導電金属部材の端部に臨んで当接し得るとともに他端が前記回路基板のグランドパターンに当接するように配設して構成したことを特徴とする中継コネクタ。
【請求項７】
請求項６記載の中継コネクタにおいて、前記第１クリップ部材に配設した前記導電金属部材を、前記ガイド溝の底面より少し浮くようにするとともに前記細線同軸コネクタが配設されて前記弾性体の弾力で前記第１クリップ部材と前記第２クリップ部材で狭持されると弾性変形して前記ガイド溝の底面と略同じ高さとなるように構成したことを特徴とする中継コネクタ。
【請求項８】
第１クリップ部材と絶縁材からなる第２クリップ部材を揺動支軸により揺動自在に配設し、前記揺動支軸の一方側で前記第１クリップ部材と第２クリップ部材の間に弾性体を縮設して、前記弾性体の弾力により前記第１クリップ部材と第２クリップ部材の前記揺動支軸の他方側が閉じるように弾性付勢し、前記第１クリップ部材の前記他方側に被検査側の細線同軸コネクタが嵌合挿入されて位置決めされるガイド溝を設け、前記ガイド溝の底に前記細線同軸コネクタの裏面側のグランド電極に臨むように導電材からなるグランド板を配設し、前記グランド板に電気的接続される導電材からなるネジにより前記グランド板を前記第１クリップ部材に固定し、しかも前記ネジをその一端が前記第２クリップ部材側を臨むように前記第１クリップ部材に配設し、前記第２クリップ部材の前記第１クリップ部材と反対側の面に測定器に電気的接続させるための回路基板を配設し、前記第２クリップ部材の前記他方側にプローブをその一端が前記細線同軸コネクタの端子に臨んで当接し得るとともに他端が前記回路基板の回路パターンに当接するように配設し、前記第２クリップ部材の前記他方側にスプリングコネクタをその一端が前記第１クリップ部材に配設した前記ネジの前記第２クリップ部材に臨む前記一端に臨んで当接し得るとともに他端が前記回路基板のグランドパターンに当接するように配設して構成したことを特徴とする中継コネクタ。
【請求項９】
請求項８記載の中継コネクタにおいて、前記第１クリップ部材が、前記他端側に配設固定される別体からなるガイドブロックを備え、前記ガイドブロックに前記ガイド溝を設けるとともに前記グランド板を配設して構成したことを特徴とする中継コネクタ。
【発明の詳細な説明】
【技術分野】
【０００１】
本発明は、検査のために、電子部品等の被検査基板に配設された被検査側の細線同軸コネクタを、測定器等に電気的接続するために用いる中継コネクタに関するものである。
【背景技術】
【０００２】
携帯電話機やデジタルカメラのごとく小型で液晶パネルを備えた電子機器にあっては、液晶パネルに電気的接続された回路に細線同軸コネクタを介装して、接続分離可能に構成されたものがある。そこで、この液晶パネルを検査等する際に、細線同軸コネクタを測定器等に電気的接続させるための簡単かつ確実に電気的接続可能であるとともに分離できる中継コネクタが必要である。
【発明の開示】
【発明が解決しようとする課題】
【０００３】
従来は、被検査基板に配設された被検査側のコネクタに簡単に電気的に接続分離自在の中継コネクタとして、特許第３２１９２９号公報に示された構造のものが知られている。しかるに、当該公報に示された従来の中継コネクタにあっては、コネクタの端子のみが電気的接続分離自在であって、グランド電極には配慮されておらず、同軸構造の細線同軸コネクタに対応したものでない。
【特許文献１】特許第３２１９２９号公報
【０００４】
そこで、細線同軸コネクタに対応して、同軸構造の中心導体が電気的接続される端子に電気的接続分離自在であるとともに、同軸構造の外部導体が電気的接続されるグランド電極に対しても電気的接続分離自在である中継コネクタの実現が望まれる。
【０００５】
本発明は、かかる要望に基づいてなされたもので、同軸構造の細線同軸コネクタに対応して、端子およびグランド電極にともに電気的接続分離自在な中継コネクタを提供することを目的とする。
【課題を解決するための手段】
【０００６】
かかる目的を達成するために、本発明の中継コネクタは、導電材からなる第１クリップ部材と絶縁材からなる第２クリップ部材を揺動支軸により揺動自在に配設し、前記揺動支軸の一方側で前記第１クリップ部材と第２クリップ部材の間に弾性体を縮設して、前記弾性体の弾力により前記第１クリップ部材と第２クリップ部材の前記揺動支軸の他方側が閉じるように弾性付勢し、前記第１クリップ部材の前記他方側で前記第２クリップ部材側の面に被検査側の細線同軸コネクタが嵌合挿入されて位置決めされるガイド溝を設け、前記第２クリップ部材の前記第１クリップ部材と反対側の面に測定器に電気的接続させるための回路基板を配設し、前記第２クリップ部材の前記他方側にプローブをその一端が前記細線同軸コネクタの端子に臨んで当接し得るとともに他端が前記回路基板の回路パターンに当接するように配設し、前記第２クリップ部材の前記他方側にスプリングコネクタをその一端が前記第１クリップ部材に臨んで当接し得るとともに他端が前記回路基板のグランドパターンに当接するように配設して構成されている。
【０００７】
また、第１クリップ部材と絶縁材からなる第２クリップ部材を揺動支軸により揺動自在に配設し、前記揺動支軸の一方側で前記第１クリップ部材と第２クリップ部材の間に弾性体を縮設して、前記弾性体の弾力により前記第１クリップ部材と第２クリップ部材の前記揺動支軸の他方側が閉じるように弾性付勢し、前記第１クリップ部材の前記他方側で前記第２クリップ部材側の面に被検査側の水平嵌合タイプの細線同軸コネクタが嵌合挿入されて位置決めされるガイド溝を設け、前記第２クリップ部材の前記第１クリップ部材と反対側の面に測定器に電気的接続させるための回路基板を配設し、前記第２クリップ部材の前記他方側にプローブをその一端が前記細線同軸コネクタの端子に臨んで当接し得るとともに他端が前記回路基板の回路パターンに当接するように配設し、前記第２クリップ部材の前記他方側に前記細線同軸コネクタの表面側のグランド電極に臨んで当接し得るように導電金属部材を配設し、前記導電金属部材と前記回路基板のグランドパターンの間に導電性のスプリングを縮設して配設して構成しても良い。
【０００８】
そして、第１クリップ部材と絶縁材からなる第２クリップ部材を揺動支軸により揺動自在に配設し、前記揺動支軸の一方側で前記第１クリップ部材と第２クリップ部材の間に弾性体を縮設して、前記弾性体の弾力により前記第１クリップ部材と第２クリップ部材の前記揺動支軸の他方側が閉じるように弾性付勢し、前記第１クリップ部材の前記他方側で前記第２クリップ部材側の面に被検査側の水平嵌合タイプの細線同軸コネクタが嵌合挿入されて位置決めされるガイド溝を設け、前記第２クリップ部材の前記第１クリップ部材と反対側の面に測定器に電気的接続させるための回路基板を配設し、前記第２クリップ部材の前記他方側にプローブをその一端が前記細線同軸コネクタの端子に臨んで当接し得るとともに他端が前記回路基板の回路パターンに当接するように配設し、前記第２クリップ部材の前記他方側にスプリングコネクタをその一端が前記細線同軸コネクタの表面側のグランド電極に臨んで当接し得るとともに他端が前記回路基板のグランドパターンに当接するように配設して構成することもできる。
【０００９】
さらに、第１クリップ部材と絶縁材からなる第２クリップ部材を揺動支軸により揺動自在に配設し、前記揺動支軸の一方側で前記第１クリップ部材と第２クリップ部材の間に弾性体を縮設して、前記弾性体の弾力により前記第１クリップ部材と第２クリップ部材の前記揺動支軸の他方側が閉じるように弾性付勢し、前記第１クリップ部材の前記他方側で前記第２クリップ部材側の面に被検査側の水平嵌合タイプの細線同軸コネクタが嵌合挿入されて位置決めされるガイド溝を設け、前記第２クリップ部材の前記第１クリップ部材と反対側の面に測定器に電気的接続させるための回路基板を配設し、前記第２クリップ部材の前記他方側にプローブをその一端が前記細線同軸コネクタの端子に臨んで当接し得るとともに他端が前記回路基板の回路パターンに当接するように配設し、前記第２クリップ部材の前記他方側に前記細線同軸コネクタの表面側のグランド電極に臨んで当接し得るように導電金属部材を配設し、前記導電金属部材と前記回路基板のグランドパターンの間にスプリングコネクタを縮設して配設して構成することも可能である。
【００１０】
そしてまた、前記第２クリップ部材の前記他方側に前記細線同軸コネクタの表面側のグランド電極に臨むように配設する前記導電金属部材を、前記第２クリップ部材に対して相対的に前記第１クリップ部材の方向に移動自在でしかも前記第２クリップ部材の前記第１クリップ部材側の面から前記第１クリップ部材側に少し突出した状態で抜け出ないように構成しても良い。
【００１１】
また、第１クリップ部材と絶縁材からなる第２クリップ部材を揺動支軸により揺動自在に配設し、前記揺動支軸の一方側で前記第１クリップ部材と第２クリップ部材の間に弾性体を縮設して、前記弾性体の弾力により前記第１クリップ部材と第２クリップ部材の前記揺動支軸の他方側が閉じるように弾性付勢し、前記第１クリップ部材の前記他方側で前記第２クリップ部材側の面に被検査側の細線同軸コネクタが嵌合挿入されて位置決めされるガイド溝を設け、前記第２クリップ部材の前記第１クリップ部材と反対側の面に測定器に電気的接続させるための回路基板を配設し、前記第２クリップ部材の前記他方側にプローブをその一端が前記細線同軸コネクタの端子に臨んで当接し得るとともに他端が前記回路基板の回路パターンに当接するように配設し、前記第１クリップ部材の前記ガイド溝に前記細線同軸コネクタの裏面側のグランド電極に臨むように導電金属部材を配設し、前記第２クリップ部材の前記他方側にスプリングコネクタをその一端が前記第１クリップ部材に配設した前記導電金属部材の端部に臨んで当接し得るとともに他端が前記回路基板のグランドパターンに当接するように配設して構成しても良い。
【００１２】
またさらに、前記第１クリップ部材に配設した前記導電金属部材を、前記ガイド溝の底面より少し浮くようにするとともに前記細線同軸コネクタが配設されて前記弾性体の弾力で前記第１クリップ部材と前記第２クリップ部材で狭持されると弾性変形して前記ガイド溝の底面と略同じ高さとなるように構成することもできる。
【００１３】
そしてさらに、第１クリップ部材と絶縁材からなる第２クリップ部材を揺動支軸により揺動自在に配設し、前記揺動支軸の一方側で前記第１クリップ部材と第２クリップ部材の間に弾性体を縮設して、前記弾性体の弾力により前記第１クリップ部材と第２クリップ部材の前記揺動支軸の他方側が閉じるように弾性付勢し、前記第１クリップ部材の前記他方側に被検査側の細線同軸コネクタが嵌合挿入されて位置決めされるガイド溝を設け、前記ガイド溝の底に前記細線同軸コネクタの裏面側のグランド電極に臨むように導電材からなるグランド板を配設し、前記グランド板に電気的接続される導電材からなるネジにより前記グランド板を前記第１クリップ部材に固定し、しかも前記ネジをその一端が前記第２クリップ部材側を臨むように前記第１クリップ部材に配設し、前記第２クリップ部材の前記第１クリップ部材と反対側の面に測定器に電気的接続させるための回路基板を配設し、前記第２クリップ部材の前記他方側にプローブをその一端が前記細線同軸コネクタの端子に臨んで当接し得るとともに他端が前記回路基板の回路パターンに当接するように配設し、前記第２クリップ部材の前記他方側にスプリングコネクタをその一端が前記第１クリップ部材に配設した前記ネジの前記第２クリップ部材に臨む前記一端に臨んで当接し得るとともに他端が前記回路基板のグランドパターンに当接するように配設して構成しても良い。
【００１４】
また、前記第１クリップ部材が、前記他端側に配設固定される別体からなるガイドブロックを備え、前記ガイドブロックに前記ガイド溝を設けるとともに前記グランド板を配設して構成したことを特徴とする中継コネクタ。
【発明の効果】
【００１５】
請求項１記載の中継コネクタにあっては、ガイド溝を設けた第１クリップ部材を導電材で形成したので、このガイド溝に被検査側の細線同軸コネクタを嵌合挿入すると、細線同軸コネクタの裏面側に設けられたグランド電極が第１クリップ部材に当接して電気的接続する。そして、この細線同軸コネクタを第１クリップ部材と第２クリップ部材で狭持すると、第２クリップ部材に設けた回路基板の回路パターンと細線同軸コネクタの端子がプローブを介して電気的接続されるとともに、第２クリップ部材に設けたスプリングコネクタが第１クリップ部材に当接して第１クリップ部材と回路基板のグランドパターンを電気的接続する。もって、細線同軸コネクタにおける同軸構造の端子とグランド電極が回路基板にそれぞれに電気的接続される。水平嵌合タイプの細線同軸コネクタは表面側と裏面側のいずれにもグランド電極が設けられており、垂直嵌合タイプの細線同軸コネクタは裏面側にグランド電極が設けられているので、水平嵌合タイプと垂直嵌合タイプのいずれの細線同軸コネクタにも対応することができる。
【００１６】
また、請求項２記載の中継コネクタにあっては、グランド電極が表面側にも設けられている水平嵌合タイプの細線同軸コネクタに対応している。第２クリップ部材に設けた導電金属部材が細線同軸コネクタの表面側のグランド電極に当接し、この導電金属部材と回路基板のグランドパターンが導電性のスプリングを介して電気的接続される。第１クリップ部材を樹脂等の絶縁材で形成することができる。
【００１７】
そして、請求項３記載の中継コネクタにあっては、第２クリップ部材に設けたスプリングコネクタで、水平嵌合タイプの細線同軸コネクタの表面側に設けられたグランド電極と回路基板のグランドパターンを電気的接続するので、その構造が簡単なものとなる。
【００１８】
さらに、請求項４記載の中継コネクタにあっては、請求項２のスプリングに換えて、スプリングコネクタを用いたものであり、スプリングコネクタによる電気的接続の確実性やスプリングコネクタを第２クリップ部材に配設する構造が容易である等の理由から、設計的な自由度が大きい。
【００１９】
そしてまた、請求項５記載の中継コネクタにあっては、水平嵌合タイプの細線同軸コネクタの表面側のグランド電極に導電金属部材が当接されると、スプリングまたはスプリングコネクタの弾力で弾接され、確実な電気的接続が得られる。
【００２０】
また、請求項６記載の中継コネクタにあっては、第１クリップ部材のガイド溝に嵌合挿入された細線同軸コネクタの裏面側に設けられたグランド電極が導電金属部材に当接して電気的接続される。さらに、第２クリップ部材に設けたスプリングコネクタが第１クリップ部材に設けた導電金属部材と回路基板のグランドパターンを電気的接続する。水平嵌合タイプと垂直嵌合タイプのいずれの細線同軸コネクタにも対応することができる。しかも、第１クリップ部材を樹脂等の絶縁材で形成することができる。
【００２１】
またさらに、請求項７記載の中継コネクタにあっては、第１クリップ部材に設けた導電金属部材がガイド溝の底から少し浮き上がるようにし、ガイド溝に嵌合挿入された細線同軸コネクタが第１クリップ部材と第２クリップ部材で狭持されると、導電金属部材がガイド溝の底面と略同じ高さとなるように弾性変形するので、グランド電極に導電金属部材が弾接して確実な電気的接続がなされる。
【００２２】
そしてさらに、請求項８記載の中継コネクタにあっては、第１クリップ部材のガイド溝の底にグランド板を配設しているので、ガイド溝に嵌合挿入された細線同軸コネクタの裏面側に設けられたグランド電極がグランド板に当接して電気的接続される。さらに、第２クリップ部材に設けたスプリングコネクタがグランド板を第１クリップ部材に配設固定する導電材からなるネジの一端に当接して、グランド板と回路基板のグランドパターンを電気的接続する。水平嵌合タイプと垂直嵌合タイプのいずれの細線同軸コネクタにも対応することができる。しかも、第１クリップ部材を樹脂等の絶縁材で形成することができる。
【００２３】
また、請求項９記載の中継コネクタにあっては、第１クリップ部材が、他端側に配設固定される別体からなるガイドブロックを備え、このガイドブロックにガイド溝を設けるとともにグランド板を配設するので、嵌合挿入されて位置決めされる被検査側の細線同軸コネクタの形状寸法に応じたガイド溝を形成したガイドブロックを用意することで、このガイドブロックを交換することで異なる細線同軸コネクタに簡単に対応することができる。
【発明を実施するための最良の形態】
【００２４】
以下、本発明の第１実施例を図１ないし図８を参照して説明する。図１は、本発明の中継コネクタの第１実施例の平面図である。図２は、図１の正面図である。図３は、図１の開口状態の正面図である。図４は、図１のＡ−Ａ断面矢斜視図である。図５は、図１のＢ−Ｂ断面矢斜視図である。図６は、図１の中継コネクタの分解斜視図である。図７は、垂直嵌合タイプの細線同軸コネクタに対応したガイド溝を示し、（ａ）はガイド溝と垂直嵌合タイプの細線同軸コネクタの上からの斜視図であり、（ｂ）は垂直嵌合タイプの細線同軸コネクタの下からの斜視図である。図８は、水平嵌合タイプの細線同軸コネクタに対応したガイド溝を示し、（ａ）はガイド溝と水平嵌合タイプの細線同軸コネクタの上からの斜視図であり、（ｂ）は水平嵌合タイプの細線同軸コネクタの下からの斜視図である。
【００２５】
図１ないし図８において、本発明の中継コネクタは、第１クリップ部材１０と第２クリップ部材１２が揺動支軸１４により揺動自在に配設され、揺動支軸１４の一方側で第１クリップ部材１０と第２クリップ部材１２の間に弾性体としてのコイルバネ１６、１６…が縮設され、このコイルバネ１６、１６…の弾力により第１クリップ部材１０と第２クリップ部材１２の揺動支軸１４の他方側が閉じられるように弾性付勢されて構成されている。第１クリップ部材１０は、導電材で形成され、揺動支軸１４の他方側で第２クリップ部材１２側の面にガイド溝１０ａが設けられる。このガイド溝１０ａは、図７に示す垂直嵌合タイプの細線同軸コネクタ２０または図８に示す水平嵌合タイプの細線同軸コネクタ２０の形状に応じて形成され、このガイド溝１０ａに嵌合挿入された細線同軸コネクタ２０の位置決めがなされる。なお、ガイド溝１０ａは、平面から見て、第１クリップ部材１０の縁部の部分が細い略Ｔ字状とされ、その深さは細線同軸コネクタ２０の厚みと同じである。
【００２６】
第２クリップ部材１２は、樹脂等の絶縁材で形成され、揺動支軸１４の他方側に絶縁材から成るピンブロック１２ａが固定される。このピンブロック１２ａを含んで、第２クリップ部材１２が構成される。ピンブロック１２ａには、第１クリップ部材１０のガイド溝１０ａに嵌合挿入された細線同軸コネクタ２０の表面側に設けられた端子２０ａ、２０ａ…に一端が臨んで当接し得るようにプローブ２２、２２…が配設され、また第１クリップ部材１０に一端が当接するようにスプリングコネクタ２４、２４が配設される。そして、この第２クリップ部材１２の第１クリップ部材１０と反対側の面に測定器に電気的接続させるための回路基板１８が配設され、プローブ２２、２２…の他端が回路基板１８に設けられた回路パターンに当接し、スプリングコネクタ２４、２４の他端が回路基板１８に設けられたグランドパターンに当接するようになされる。さらに、この回路基板１８を覆うように絶縁材からなるカバー部材２６が配設されている。なお、ピンブロック１２ａに穿設された多数のプローブ用孔にそれぞれプローブ２２、２２…が嵌合挿入されて配設固定され、またスプリングコネクタ用孔１２ｃ、１２ｃにスプリングコネクタ２４、２４が嵌合挿入されて配設固定されている。ピンブロック１２ａは、上記実施例では製造し易くするために第２クリップ部材１２とは別体の部品として製造して、これを第２クリップ部材１２に固定して一体化しているが、ピンブロック１２ａを第２クリップ部材１２にとともに一体に製造しても良いことは、勿論である。
【００２７】
かかる構成において、コイルバネ１６、１６…の弾力に抗して、図３に示すごとく、第１クリップ部材１０と第２クリップ部材１２の揺動支軸１４の一方側を閉じて、他方側を開口状態とさせる。この開口した状態で、細線同軸コネクタ２０を第１クリップ部材１０のガイド溝１０ａに嵌合挿入して位置決めし、第１クリップ部材１０と第２クリップ部材１２の一方側を弾力に抗して閉じている力を解除する。すると、コイルバネ１６、１６…の弾力により、第１クリップ部材１０と第２クリップ部材１２の揺動支軸１４の他端側が図２に示すように閉じられ、細線同軸コネクタ２０が第１クリップ部材１０と第２クリップ部材１２で狭持される。ここで、プローブ２２、２２…の一端が細線同軸コネクタ２０の端子２０ａ、２０ａ…に当接し、これらのプローブ２２、２２…を介して端子２０ａ、２０ａ…が回路基板１８の回路パターンに電気的接続される。同時に、スプリングコネクタ２４、２４の一端が第１クリップ部材１０に当接し、これらのスプリングコネクタ２４、２４を介して第１クリップ部材１０と回路基板１８のグランドパターンが電気的接続される。そして、図７に示す垂直嵌合タイプおよび図８に示す水平嵌合タイプのいずれの細線同軸コネクタ２０にあっても、その裏面側にグランド電極２０ｂが設けられているので、ガイド溝１０ａに嵌合挿入されることでグランド電極２０ｂが第１クリップ部材１０に当接して電気的接続がなされる。もって、スプリングコネクタ２４、２４と第１クリップ部材１０を介して、細線同軸コネクタ２０のグランド電極２０ｂが回路基板１８のグランドパターンに電気的接続される。したがって、細線同軸コネクタ２０における同軸構造の端子２０ａ、２０ａ…とグランド電極２０ｂが回路基板１８の回路パターンとグランドパターンにそれぞれ電気的接続される。なお、ガイド溝１０ａを、平面から見て、略Ｔ字状とすることで、ガイド溝１０ａに嵌合挿入された細線同軸コネクタ２０は、第１クリップ部材１０に対して第２クリップ部材１２の方向への移動でのみ、抜き出すことができ、細線同軸コネクタ２０を第１クリップ部材１０と第２クリップ部材１２で狭持された状態では抜き出すことができず、検査中に端子２０ａ、２０ａ…からプローブ２２、２２…がずれるような虞がない。
【００２８】
次に、本発明の第２実施例を図９ないし図１１を参照して説明する。図９は、本発明の中継コネクタの第２実施例の分解斜視図である。図１０は、図９に示す中継コネクタの組み立て状態における要部の縦断面図である。図１１は、第２クリップ部材に設けられた導電金属部材を示す図１０のＣ−Ｃ断面矢斜視図である。図９ないし図１１において、図１ないし図８に示す部材と同じまたは均等な部材には同じ符号を付けて重複する説明を省略する。
【００２９】
図９ないし図１１に示す本発明の第２実施例の中継コネクタにあっては、表面側にもグランド電極２０ｂが設けられている水平嵌合タイプの細線同軸コネクタ２０に対応するものである。この第２実施例において、第１実施例と相違するところは、以下のようなものである。まず、第２実施例にあっては、第１クリップ部材１０が導電材で形成される必要がなく、樹脂等の絶縁材で形成しても良い。そして、ピンブロック１２ａに穿設した収納用空間１２ｂに導電金属部材３０が挿入配設される。この導電金属部材３０は、図１１に示すごとく、ピンブロック１２ａに対して相対的に第１クリップ部材１０の方向に少しの範囲で移動自在であって、しかも第１クリップ部材１０側に僅かに突出した状態で抜けが規制されている。さらに、この導電金属部材３０は、第１クリップ部材１０のガイド溝１０ａに嵌合挿入されて位置決めされた細線同軸コネクタ２０の表面側に設けられたグランド電極２０ｂに臨んで当接し得るように配設される。そしてさらに、この導電金属部材３０と回路基板１８の間に導電材からなるスプリング３２、３２が縮設されて、導電金属部材３０が回路基板１８のグランドパターンに電気的接続される。なお、導電金属部材３０に設けられた突起部３０ａ、３０ａに一端をそれぞれに嵌合させてスプリング３２、３２が配設固定されている。
【００３０】
かかる構成の本発明の第２実施例の中継コネクタにあっては、第１実施例と相違して、第１クリップ部材１０が細線同軸コネクタ２０のグランド電極２０ｂの導電経路として用いられておらず、樹脂等の絶縁材で形成することができる。
【００３１】
また、本発明の第３実施例を図１２および図１３を参照して説明する。図１２は、本発明の中継コネクタの第３実施例の分解斜視図である。図１３は、図１２に示す中継コネクタの組み立て状態における要部の縦断面図である。図１２および図１３において、図１ないし図１１に示す部材と同じまたは均等な部材には同じ符号を付けて重複する説明を省略する。
【００３２】
図１２および図１３に示す本発明の第３実施例の中継コネクタにあっては、第２実施例と同様に、表面側にもグランド電極２０ｂが設けられている水平嵌合タイプの細線同軸コネクタ２０に対応するものである。この第３実施例において、第２実施例と相違するところは、第２実施例における導電金属部材３０が設けられておらず、ピンブロック１２ａに穿設されたスプリングコネクタ用孔１２ｃ、１２ｃに挿入配設されたスプリングコネクタ２４、２４の一端が、第１クリップ部材１０のガイド溝１０ａに嵌合挿入されて位置決めされた細線同軸コネクタ２０の表面側に設けられたグランド電極２０ｂに臨んで直接に当接し得るように配設される。このスプリングコネクタ２４、２４の他端は回路基板１８のグランドパターンに当接されている。
【００３３】
かかる構成の本発明の第３実施例の中継コネクタにあっては、第２実施例と相違して、導電金属部材３０を必要とせずに、構造がより簡単なものとなる。
【００３４】
そして、本発明の第４実施例を図１４および図１５を参照して説明する。図１４は、本発明の中継コネクタの第４実施例の分解斜視図である。図１５は、図１４に示す中継コネクタの組み立て状態における要部の縦断面図である。図１４および図１５において、図１ないし図１３に示す部材と同じまたは均等な部材には同じ符号を付けて重複する説明を省略する。
【００３５】
図１４および図１５に示す本発明の第４実施例の中継コネクタにあっては、第２実施例および第３実施例と同様に、表面側にもグランド電極２０ｂが設けられている水平嵌合タイプの細線同軸コネクタ２０に対応するものである。この第４実施例において、第２実施例と相違するところは、第２実施例におけるスプリング３２、３２に換えて、ピンブロック１２ａに穿設されたスプリングコネクタ用孔１２ｃ、１２ｃに挿入配設されたスプリングコネクタ２４、２４の一端が導電金属部材３０当接し、このスプリングコネクタ２４、２４の他端が回路基板１８のグランドパターンに当接するように配設される。
【００３６】
かかる構成の本発明の第４実施例の中継コネクタにあっては、第２実施例で用いたスプリング３２、３２に換えてスプリングコネクタ２４、２４を用いることで、電気的接続の確実性が向上し、また第２実施例のごとくスプリングコネクタ２４、２４を固定するための突起部３０ａ、３０ａを必要とせず、ピンブロック１２ａに穿設したスプリングコネクタ用孔１２ｃ、１２により簡単にスプリングコネクタ２４、２４を配設固定できる。
【００３７】
さらに、本発明の第５実施例を図１６ないし図１８を参照して説明する。図１６は、本発明の中継コネクタの第５実施例の分解斜視図である。図１７は、図１６に示す中継コネクタの組み立て状態における第１クリップ部材に設けた導電金属部材を示す縦断面図である。図１８は、図１６に示す中継コネクタの組み立て状態における第１クリップ部材に設けた他の例の導電金属部材を示す縦断面図である。図１６ないし図１８において、図１ないし図１７に示す部材と同じまたは均等な部材には同じ符号を付けて重複する説明を省略する。
【００３８】
図１６ないし図１８に示す本発明の第５実施例の中継コネクタにあっては、第１実施例と同様に、裏面側にグランド電極２０ｂが設けられている垂直嵌合タイプおよび水平嵌合タイプのいずれの細線同軸コネクタ２０にも対応するものである。この第５実施例において、第１実施例と相違するところは、第１クリップ部材１０のガイド溝１０ａの底に、導電金属部材３６を配設して、ガイド溝１０ａに嵌合挿入された細線同軸コネクタ２０の裏面側のグランド電極２０ｂに当接するように構成されている。また、この導電金属部材３６の両端部は略Ｌ字状を２つ連ねた略階段状に折り曲げられて、両端が第１クリップ部材１０の第２クリップ部材１２側の面と略同一となるように形成されている。この第１クリップ部材１０の面と略同一とされた導電金属部材３６の両端部に、第２クリップ部材１２に設けられたスプリングコネクタ２４、２４の一端が臨んで当接し得るようになされる。そして、導電金属部材３６は、一例として、弾性を備えた板金からなり、図１７に示すごとく、ガイド溝１０ａの底に接する部分が少し浮き上がるように湾曲に形成されていて、ガイド溝１０ａに嵌合挿入された細線同軸コネクタ２０が第１クリップ部材１０と第２クリップ部材１２で狭持されると、湾曲に形成された部分が弾性変形してガイド溝１０ａの底面と略同一の高さとなるように構成されている。また、導電金属部材３６の他の例として、図１８に示すごとく、両端を第１クリップ部材１０の第２クリップ部材１２側の面と略同一となるように形成するために略Ｌ字状に折り曲げられた部分が少し９０度以上に強く折り曲げられていて、ガイド溝１０ａの底に面する部分を少し浮き上がらせるよう形成されていて、ガイド溝１０ａに嵌合挿入された細線同軸コネクタ２０が第１クリップ部材１０と第２クリップ部材１２で狭持されると、両端の強く折り曲げられた略Ｌ字状の折り曲げら部分の折り曲げ角度が少し緩くなるように弾性変形してガイド溝１０ａの底面と略同一の高さとなるように構成されている。
【００３９】
かかる構成の本発明の第５実施例の中継コネクタにあっては、第１実施例と同様に、裏面側にグランド電極２０ｂを有する垂直嵌合タイプおよび水平嵌合タイプのいずれの細線同軸コネクタ２０にも対応することができる。そして、細線同軸コネクタ２０のグランド電極２０ｂが、導電金属部材３６とスプリングコネクタ２４、２４を介して回路基板１８のグランドパターンに電気的接続されるので、第１クリップ部材１０を導電材で形成する必要がなく、樹脂等の絶縁材で形成することができる。また、導電金属部材３６が、図１７および図１８に示すごとく、細線同軸コネクタ２０の裏面側に設けられたグランド電極２０ｂに弾接するならば、導電金属部材３６がグランド電極２０ｂに確実に電気的接続される。
【００４０】
そしてさらに、本発明の第６実施例を図１９および図２０を参照して説明する。図１９は、本発明の中継コネクタの第６実施例の第１クリップ部材の分解斜視図である。図２０は、図１９に示す第１クリップ部材の組み立て状態におけるグランド板の配設固定を示す縦断面図である。図１９および図２０において、図１ないし図１８に示す部材と同じまたは均等な部材には同じ符号を付けて重複する説明を省略する。
【００４１】
図１９および図２０に示す本発明の第６実施例の中継コネクタにあっては、第１実施例および第５実施例と同様に、裏面側にグランド電極２０ｂが設けられている垂直嵌合タイプおよび水平嵌合タイプのいずれの細線同軸コネクタ２０にも対応するものである。この第６実施例において、第５実施例と相違するところは、第１クリップ部材１０の他端側に別体で形成されたガイドブロック１０ｂが適宜に位置決めされてネジ等により固定されている。このガイドブロック１０ｂにガイド溝１０ａが設けられ、そのガイド溝１０ａの底を形成するように導電材からなるグランド板３８が配設される。このガイドブロック１０ｂを含んで、第１クリップ部材１０が構成される。グランド板３８は、第１クリップ部材１０の第２クリップ部材１２側の面から挿入されて螺合する導電材からなるネジ４０、４０により固定される。このネジ４０、４０の一端の頭部の先端面が、第１クリップ部材１０の第２クリップ部材１２側の面と略同一となるようにして、第２クリップ部材１２に臨むように配設される。そして、第２クリップ部材１２に設けられたスプリングコネクタ２４、２４の一端が、ネジ４０、４０の一端に臨んで当接し得るようになされる。そこで、ガイド溝１０ａに嵌合挿入された細線同軸コネクタ２０の裏面側のグランド電極２０ｂがグランド板３８に当接して電気的接続され、さらにガイド溝１０ａに嵌合挿入された細線同軸コネクタ２０が第１クリップ部材１０と第２クリップ部材１２で狭持されると、ネジ４０、４０の一端に、スプリングコネクタ２４、２４の一端が当接して電気的接続される。
【００４２】
かかる構成の本発明の第６施例の中継コネクタにあっては、第１実施例および第５実施例と同様に、裏面側にグランド電極２０ｂを有する垂直嵌合タイプおよび水平嵌合タイプのいずれの細線同軸コネクタ２０にも対応することができる。そして、細線同軸コネクタ２０のグランド電極２０ｂが、グランド板３８とネジ４０、４０およびスプリングコネクタ２４、２４を介して回路基板１８のグランドパターンに電気的接続される。もって、ガイドブロック１０ｂを含む第１クリップ部材１０を導電材で形成する必要がなく、樹脂等の絶縁材で形成することができる。また、ガイドブロック１０ｂは、第１クリップ部材１０にネジにより配設固定されているので、容易かつ簡単に交換することができる。そこで、被検査側の細線同軸コネクタ２０の寸法形状に応じたガイド溝１０ａを設けた異なるガイドブロック１０ｂを幾つか用意すれば、異なる形状の細線同軸コネクタ２０にも簡単に対応することが可能である。なお、導電材からなるネジ４０、４０は、上記実施例では、第２クリップ部材１２側の面からガイドブロック１０ｂに挿入されてグランド板３８に螺合しているが、これに限られず、グランド板３８側からガイドブロック１０ｂに挿入されてガイドブロック１０ｂに設けた雌ネジにネジ４０、４０を螺合させるようにしても良い。かかる構造では、ネジ４０、４０の先端面が、第２クリップ部材１２に臨むように構成し、そのネジ４０、４０の先端面にスプリングコネクタ２４、２４が当接し得るようにすれば良い。
【図面の簡単な説明】
【００４３】
【図１】本発明の中継コネクタの第１実施例の平面図である。
【図２】図１の正面図である。
【図３】図１の開口状態の正面図である。
【図４】図１のＡ−Ａ断面矢斜視図である。
【図５】図１のＢ−Ｂ断面矢斜視図である。
【図６】図１の中継コネクタの分解斜視図である。
【図７】垂直嵌合タイプの細線同軸コネクタに対応したガイド溝を示し、（ａ）はガイド溝と垂直嵌合タイプの細線同軸コネクタの上からの斜視図であり、（ｂ）は垂直嵌合タイプの細線同軸コネクタの下からの斜視図である。
【図８】水平嵌合タイプの細線同軸コネクタに対応したガイド溝を示し、（ａ）はガイド溝と水平嵌合タイプの細線同軸コネクタの上からの斜視図であり、（ｂ）は水平嵌合タイプの細線同軸コネクタの下からの斜視図である。
【図９】本発明の中継コネクタの第２実施例の分解斜視図である。
【図１０】図９に示す中継コネクタの組み立て状態における要部の縦断面図である。
【図１１】第２クリップ部材に設けられた導電金属部材を示す図１０のＣ−Ｃ断面矢斜視図である。
【図１２】本発明の中継コネクタの第３実施例の分解斜視図である。
【図１３】図１２に示す中継コネクタの組み立て状態における要部の縦断面図である。
【図１４】本発明の中継コネクタの第４実施例の分解斜視図である。
【図１５】図１４に示す中継コネクタの組み立て状態における要部の縦断面図である。
【図１６】本発明の中継コネクタの第５実施例の分解斜視図である。
【図１７】図１６に示す中継コネクタの組み立て状態における第１クリップ部材に設けた導電金属部材を示す縦断面図である。
【図１８】図１６に示す中継コネクタの組み立て状態における第１クリップ部材に設けた他の例の導電金属部材を示す縦断面図である。
【図１９】本発明の中継コネクタの第６実施例の第１クリップ部材の分解斜視図である。
【図２０】図１９に示す第１クリップ部材の組み立て状態におけるグランド板の配設固定を示す縦断面図である。
【符号の説明】
【００４４】
１０  第１クリップ部材
１０ａ  ガイド溝
１０ｂ  ガイドブロック
１２  第２クリップ部材
１２ａ  ピンブロック
１２ｂ  収納用空間
１２ｃ  スプリングコネクタ用孔
１４  揺動支軸
１６  コイルバネ
１８  回路基板
２０  細線同軸コネクタ
２０ａ  端子
２０ｂ  グランド電極
２２  プローブ
２４  スプリングコネクタ
２６  カバー部材
３０、３６導電金属部材
３０ａ  突起部
３２  スプリング
３８  グランド板
４０  ネジ
【図１】
0005004233.tif 000002
【図２】
0005004233.tif 000003
【図３】
0005004233.tif 000004
【図４】
0005004233.tif 000005
【図５】
0005004233.tif 000006
【図６】
0005004233.tif 000007
【図７】
0005004233.tif 000008
【図８】
0005004233.tif 000009
【図９】
0005004233.tif 000010
【図１０】
0005004233.tif 000011
【図１１】
0005004233.tif 000012
【図１２】
0005004233.tif 000013
【図１３】
0005004233.tif 000014
【図１４】
0005004233.tif 000015
【図１５】
0005004233.tif 000016
【図１６】
0005004233.tif 000017
【図１７】
0005004233.tif 000018
【図１８】
0005004233.tif 000019
【図１９】
0005004233.tif 000020
【図２０】
0005004233.tif 000021